(57)【要約】【課題】感知しやすい振動パターンを設定でき、機器の大型化やデザインの自由度の低下を防ぐ。【解決手段】充電装置１００は、パターン記憶部１５０と、交流電磁界を発生する１次アンテナ１０１と、振動パターンの切替えを受け付けた場合、パターン記憶部１５０から振動パターンを読み込むパターン読込部１１１と、読み込んだ振動パターンを電子時計２００に送信する変調回路１０３とを備え、電子時計２００は、パターン記憶部２５０と、交流電磁界を検出して誘導起電力を発生する２次アンテナ２０１と、振動パターンを受信する受信回路２０２と、受信した振動パターンをパターン記憶部２５０に書き込むパターン書込部２１２と、振動時刻を計測するタイマ２１４と、振動時刻になった場合、記憶された振動パターンに基づいて振動モータ２０５を駆動する振動制御部２１３とを備える。【選択図】        図３
2009072050.tif 000002
【特許請求の範囲】
【請求項１】
振動可能な振動素子を備えた携帯機器と、前記携帯機器に充電を行う充電装置とを有する充電システムであって、
前記充電装置は、
前記振動素子の複数の振動パターンを記憶する第１パターン記憶部と、
交流電磁界を発生する第１接続手段と、
利用者からの前記振動パターンの切替えを受け付けた場合、前記第１パターン記憶部から予め定められた順序に従って、次の順序の前記振動パターンを読み込むパターン読込手段と、
読み込んだ前記振動パターンを前記交流電磁界に重畳することで、前記振動パターンを前記携帯機器に送信するパターン送信手段と、を備え、
前記携帯機器は、
前記振動パターンを記憶可能な第２パターン記憶部と、
前記第１接続手段に発生した前記交流電磁界を検出して、前記交流電磁界に応じた誘導起電力を発生する第２接続手段と、
前記交流電磁界に重畳された前記振動パターンを受信するパターン受信手段と、
受信した前記振動パターンを前記第２パターン記憶部に書き込むパターン書込手段と、
利用者により設定された振動時刻を計測するタイマ手段と、
前記振動時刻になった場合、前記第２パターン記憶部に記憶された前記振動パターンに基づいて、前記振動素子を駆動する振動制御手段と、
を備えることを特徴とする充電システム。
【請求項２】
前記第２接続手段は、前記充電装置からの充電が可能な充電位置に前記携帯機器が載置された場合、前記第１接続手段に発生した前記交流電磁界を検出して、前記交流電磁界に応じた誘導起電力を発生し、
前記振動制御手段は、前記振動時刻になった場合で、かつ前記携帯機器が前記充電位置に載置されている場合に、前記振動素子を駆動しないことを特徴とする請求項１に記載の充電システム。
【請求項３】
前記携帯機器は、
充電電力を蓄積する蓄電手段と、
前記第２接続手段に発生した交流の誘導起電力を直流の充電電力に変換する電力変換手段と、
変換された充電電力を前記蓄電手段に供給することで充電を行う蓄電制御手段と、
前記蓄電手段に蓄電される充電電力の電圧値、および前記蓄電手段が充電中か否かを示す充電状態を記憶する充電状態記憶部と、
前記蓄電手段を所定の間隔で監視し、前記電圧値を取得して前記充電状態記憶部に保存する充電状態監視手段と、
前記充電状態記憶部の前記電圧値を参照して、前記携帯機器が現在充電中であるか否かを判定する充電判定手段と、をさらに備え、
前記振動制御手段は、前記振動時刻になった場合で、かつ前記携帯機器が充電中であった場合に、前記振動素子を駆動しないことを特徴とする請求項１または２に記載の充電システム。
【請求項４】
前記携帯機器は、
前記振動時刻になった場合で、かつ前記携帯機器が充電中であった場合に、前記携帯機器が充電中である旨の充電信号を、前記充電装置に送信する準備手段をさらに備え、
前記充電装置は、
前記充電信号を前記携帯機器から受信した場合、前記振動素子を駆動させない指示である振動抑制信号を、前記携帯機器に送信する振動制御手段をさらに備え、
前記振動制御手段は、前記充電装置から前記振動抑制信号を受信した場合、前記振動素子を駆動しないことを特徴とする請求項３に記載の充電システム。
【請求項５】
前記携帯機器は、
充電電力を蓄積する蓄電手段と、
前記第２接続手段に発生した交流の誘導起電力を直流の充電電力に変換する電力変換手段と、
変換された充電電力を前記蓄電手段に供給することで充電を行う蓄電制御手段と、
前記蓄電手段に蓄電される充電電力の電圧値、および前記蓄電手段が充電満了の状態か否かを示す充電状態を記憶する充電状態記憶部と、
前記蓄電手段を所定の間隔で監視し、前記電圧値を取得して前記充電状態記憶部に保存する充電状態監視手段と、
前記充電状態記憶部の前記電圧値を参照して、前記携帯機器が充電満了の状態であるか否かを判定する充電判定手段と、をさらに備え、
前記振動制御手段は、前記振動時刻になった場合で、かつ前記携帯機器が充電満了の状態であった場合に、前記振動素子を駆動しないことを特徴とする請求項１〜４のいずれか一つに記載の充電システム。
【請求項６】
前記携帯機器は、
前記振動時刻になった場合で、かつ前記携帯機器が充電満了の状態であった場合に、前記携帯機器が充電満了である旨の充電満了信号を、前記充電装置に送信する準備手段をさらに備え、
前記充電装置は、
前記充電満了信号を前記携帯機器から受信した場合、前記振動素子を駆動させない指示である振動抑制信号を、前記携帯機器に送信する振動制御手段をさらに備え、
前記振動制御手段は、前記充電装置から前記振動抑制信号を受信した場合、前記振動素子を駆動しないことを特徴とする請求項５に記載の充電システム。
【請求項７】
前記充電装置は、
利用者による操作入力を受け付ける操作部と、
前記操作入力に基づいて、前記振動パターンを生成するパターン生成手段と、をさらに備え、
前記パターン送信手段は、生成された前記振動パターンを前記交流電磁界に重畳することで、前記生成された振動パターンを前記携帯機器に送信し、
前記パターン受信手段は、前記交流電磁界に重畳された前記生成された振動パターンを受信し、
前記パターン書込手段は、受信した前記生成された振動パターンを前記第２パターン記憶部に書き込み、
前記振動制御手段は、前記振動時刻になった場合、前記第２パターン記憶部に記憶された前記生成された振動パターンに基づいて、前記振動素子を駆動することを特徴とする請求項１〜６のいずれか一つに記載の充電システム。
【請求項８】
前記携帯機器は、
前記振動パターンと、前記振動パターンを視覚的に示す画像であるパターン画像とを対応付けて記憶する画像記憶部と、
前記画像記憶部を参照して、受信した前記振動パターンに対応する前記パターン画像を表示部に表示する表示制御手段と、をさらに備えたことを特徴とする請求項１〜６のいずれか一つに記載の充電システム。
【請求項９】
前記充電装置は、
前記生成された振動パターンを視覚的に示す画像であるパターン画像を生成するパターン画像生成手段をさらに備え、
前記パターン送信手段は、前記生成された振動パターンと生成された前記パターン画像とを前記交流電磁界に重畳することで、前記生成された振動パターンと前記生成されたパターン画像を前記携帯機器に送信し、
前記携帯機器は、
前記生成された振動パターンと、前記生成されたパターン画像とを対応付けて記憶する画像記憶部と、
前記画像記憶部を参照して、受信した前記生成された振動パターンに対応する前記生成されたパターン画像を表示部に表示する表示制御手段と、をさらに備え、
前記パターン受信手段は、前記交流電磁界に重畳された前記生成された振動パターンと前記生成されたパターン画像とを受信し、
前記パターン書込手段は、受信した前記生成された振動パターンを前記第２パターン記憶部に書き込むとともに、受信した前記生成されたパターン信号を前記画像記憶部に書き込むことを特徴とする請求項７に記載の充電システム。
【請求項１０】
振動可能な振動素子を備えた携帯機器に充電を行う充電装置において、
前記振動素子の複数の振動パターンを記憶するパターン記憶部と、
交流電磁界を発生する接続手段と、
利用者からの前記振動パターンの切替えを受け付けた場合、前記パターン記憶部から予め定められた順序に従って、次の順序の前記振動パターンを読み込むパターン読込手段と、
読み込んだ前記振動パターンを前記交流電磁界に重畳することで、前記振動パターンを前記携帯機器に送信するパターン送信手段と、
を備えることを特徴とする充電装置。
【請求項１１】
振動可能な振動素子を備え、充電装置から充電される携帯機器において、
前記振動素子の振動パターンを記憶可能なパターン記憶部と、
前記充電装置に備えられた第１接続手段に発生した前記交流電磁界を検出して、前記交流電磁界に応じた誘導起電力を発生する第２接続手段と、
前記交流電磁界に重畳された前記振動パターンを受信するパターン受信手段と、
受信した前記振動パターンを前記パターン記憶部に書き込むパターン書込手段と、
利用者により設定された振動時刻を計測するタイマ手段と、
前記振動時刻になった場合、前記パターン記憶部に記憶された前記振動パターンに基づいて、前記振動素子を駆動する振動制御手段と、
を備えることを特徴とする携帯機器。
【発明の詳細な説明】
【技術分野】
【０００１】
本発明は、所定の時刻になると振動する携帯機器と、該携帯機器の充電を行う充電装置と、それらの携帯機器と充電装置とを備えた充電システムに関するものであり、特に携帯機器の振動パターンの制御を行う充電システム、充電装置、および携帯機器に関する。
【背景技術】
【０００２】
従来、電子時計（携帯機器）には、内部に備えた振動モータが振動することで電子時計自体が振動し、その振動を利用者に感知させて予め設定した時刻を気付かせる機能を有したものがある。
【０００３】
しかし、従来の電子時計では、予め定められた振動パターンを備えているが、その振動パターンが必ずしも利用者にとって感知しやすい振動パターンであるとは限らなかった。それは、例えば年齢やその時の体調などによって人間の触感はそれぞれ異なるため、感知しやすい振動パターンか否かは日々変化するからである。そこで、電子時計の内部に、振動パターンを変更する振動制御回路を備えた技術が開示されている（例えば、特許文献１参照）。この特許文献１では、電子時計内部の振動制御回路の制御によって、電子時計の振動パターンを変更することができるので、電子時計の利用者が感知しやすい振動パターンを設定することができる。
【０００４】
【特許文献１】特開平８−３２０３８４号公報
【発明の開示】
【発明が解決しようとする課題】
【０００５】
しかしながら、特許文献１の技術では、電子時計自身に振動制御回路を設けることが必要不可欠となるため、電子時計の内部に、振動制御回路を設置するスペースが必要となる。従って、近年携帯性を向上させるために小型化が望まれている電子時計に、振動制御回路の設置スペースを確保すると、電子時計の大型化を招くという問題があった。また、電子時計が大型化すると、デザインの自由度が低下するという問題もあった。特に女性用の時計は、小型化しているものが多いため、大型化することによる上記の問題が顕著となっていた。
【０００６】
本発明は、上記に鑑みてなされたものであって、利用者にとって感知しやすい携帯機器の振動パターンを設定できるとともに、携帯機器の大型化や、デザインの自由度の低下等を防ぐことができる充電システム、充電装置、および携帯機器を提供することを目的とする。
【課題を解決するための手段】
【０００７】
上述した課題を解決し、目的を達成するために、請求項１にかかる発明は、振動可能な振動素子を備えた携帯機器と、前記携帯機器に充電を行う充電装置とを有する充電システムであって、前記充電装置は、前記振動素子の複数の振動パターンを記憶する第１パターン記憶部と、交流電磁界を発生する第１接続手段と、利用者からの前記振動パターンの切替えを受け付けた場合、前記第１パターン記憶部から予め定められた順序に従って、次の順序の前記振動パターンを読み込むパターン読込手段と、読み込んだ前記振動パターンを前記交流電磁界に重畳することで、前記振動パターンを前記携帯機器に送信するパターン送信手段と、を備え、前記携帯機器は、前記振動パターンを記憶可能な第２パターン記憶部と、前記第１接続手段に発生した交流電磁界を検出して、前記交流電磁界に応じた誘導起電力を発生する第２接続手段と、前記交流電磁界に重畳された前記振動パターンを受信するパターン受信手段と、受信した前記振動パターンを前記第２パターン記憶部に書き込むパターン書込手段と、利用者により設定された振動時刻を計測するタイマ手段と、前記振動時刻になった場合、前記第２パターン記憶部に記憶された前記振動パターンに基づいて、前記振動素子を駆動する振動制御手段と、を備えることを特徴とする。
【０００８】
また、請求項２にかかる発明は、請求項１に記載の充電システムにおいて、前記第２接続手段は、前記充電装置からの充電が可能な充電位置に前記携帯機器が載置された場合、前記第１接続手段に発生した前記交流電磁界を検出して、前記交流電磁界に応じた誘導起電力を発生し、前記振動制御手段は、前記振動時刻になった場合で、かつ前記携帯機器が前記充電位置に載置されている場合に、前記振動素子を駆動しないことを特徴とする。
【０００９】
また、請求項３にかかる発明は、請求項１または２に記載の充電システムにおいて、前記携帯機器は、充電電力を蓄積する蓄電手段と、前記第２接続手段に発生した交流の誘導起電力を直流の充電電力に変換する電力変換手段と、変換された充電電力を前記蓄電手段に供給することで充電を行う蓄電制御手段と、前記蓄電手段に蓄電される充電電力の電圧値、および前記蓄電手段が充電中か否かを示す充電状態を記憶する充電状態記憶部と、前記蓄電手段を所定の間隔で監視し、前記電圧値を取得して前記充電状態記憶部に保存する充電状態監視手段と、前記充電状態記憶部の前記電圧値を参照して、前記携帯機器が現在充電中であるか否かを判定する充電判定手段と、をさらに備え、前記振動制御手段は、前記振動時刻になった場合で、かつ前記携帯機器が充電中であった場合に、前記振動素子を駆動しないことを特徴とする。
【００１０】
また、請求項４にかかる発明は、請求項３に記載の充電システムにおいて、前記携帯機器は、前記振動時刻になった場合で、かつ前記携帯機器が充電中であった場合に、前記携帯機器が充電中である旨の充電信号を、前記充電装置に送信する準備手段をさらに備え、前記充電装置は、前記充電信号を前記携帯機器から受信した場合、前記振動素子を駆動させない指示である振動抑制信号を、前記携帯機器に送信する振動制御手段をさらに備え、前記振動制御手段は、前記充電装置から前記振動抑制信号を受信した場合、前記振動素子を駆動しないことを特徴とする。
【００１１】
また、請求項５にかかる発明は、請求項１〜４のいずれか一つに記載の充電システムにおいて、前記携帯機器は、充電電力を蓄積する蓄電手段と、前記第２接続手段に発生した交流の誘導起電力を直流の充電電力に変換する電力変換手段と、変換された充電電力を前記蓄電手段に供給することで充電を行う蓄電制御手段と、前記蓄電手段に蓄電される充電電力の電圧値、および前記蓄電手段が充電満了の状態か否かを示す充電状態を記憶する充電状態記憶部と、前記蓄電手段を所定の間隔で監視し、前記電圧値を取得して前記充電状態記憶部に保存する充電状態監視手段と、前記充電状態記憶部の前記電圧値を参照して、前記携帯機器が充電満了の状態であるか否かを判定する充電判定手段と、をさらに備え、前記振動制御手段は、前記振動時刻になった場合で、かつ前記携帯機器が充電満了の状態であった場合に、前記振動素子を駆動しないことを特徴とする。
【００１２】
また、請求項６にかかる発明は、請求項５に記載の充電システムにおいて、前記携帯機器は、前記振動時刻になった場合で、かつ前記携帯機器が充電満了の状態であった場合に、前記携帯機器が充電満了である旨の充電満了信号を、前記充電装置に送信する準備手段をさらに備え、前記充電装置は、前記充電満了信号を前記携帯機器から受信した場合、前記振動素子を駆動させない指示である振動抑制信号を、前記携帯機器に送信する振動制御手段をさらに備え、前記振動制御手段は、前記充電装置から前記振動抑制信号を受信した場合、前記振動素子を駆動しないことを特徴とする。
【００１３】
また、請求項７にかかる発明は、請求項１〜６のいずれか一つに記載の充電システムにおいて、前記充電装置は、利用者による操作入力を受け付ける操作部と、前記操作入力に基づいて、前記振動パターンを生成するパターン生成手段と、をさらに備え、前記パターン送信手段は、生成された前記振動パターンを前記交流電磁界に重畳することで、前記生成された振動パターンを前記携帯機器に送信し、前記パターン受信手段は、前記交流電磁界に重畳された前記生成された振動パターンを受信し、前記パターン書込手段は、受信した前記生成された振動パターンを前記第２パターン記憶部に書き込み、前記振動制御手段は、前記振動時刻になった場合、前記第２パターン記憶部に記憶された前記生成された振動パターンに基づいて、前記振動素子を駆動することを特徴とする。
【００１４】
また、請求項８にかかる発明は、請求項１〜６のいずれか一つに記載の充電システムにおいて、前記携帯機器は、前記振動パターンと、前記振動パターンを視覚的に示す画像であるパターン画像とを対応付けて記憶する画像記憶部と、前記画像記憶部を参照して、受信した前記振動パターンに対応する前記パターン画像を表示部に表示する表示制御手段と、をさらに備えたことを特徴とする。
【００１５】
また、請求項９にかかる発明は、請求項７に記載の充電システムにおいて、前記充電装置は、前記生成された振動パターンを視覚的に示す画像であるパターン画像を生成するパターン画像生成手段をさらに備え、前記パターン送信手段は、前記生成された振動パターンと生成された前記パターン画像とを前記交流電磁界に重畳することで、前記生成された振動パターンと前記生成されたパターン画像を前記携帯機器に送信し、前記携帯機器は、前記生成された振動パターンと、前記生成されたパターン画像とを対応付けて記憶する画像記憶部と、前記画像記憶部を参照して、受信した前記生成された振動パターンに対応する前記生成されたパターン画像を表示部に表示する表示制御手段と、をさらに備え、前記パターン受信手段は、前記交流電磁界に重畳された前記生成された振動パターンと前記生成されたパターン画像とを受信し、前記パターン書込手段は、受信した前記生成された振動パターンを前記第２パターン記憶部に書き込むとともに、受信した前記生成されたパターン信号を前記画像記憶部に書き込むことを特徴とする。
【００１６】
また、請求項１０にかかる発明は、振動可能な振動素子を備えた携帯機器に充電を行う充電装置において、前記振動素子の複数の振動パターンを記憶するパターン記憶部と、交流電磁界を発生する接続手段と、利用者からの前記振動パターンの切替えを受け付けた場合、前記パターン記憶部から予め定められた順序に従って、次の順序の前記振動パターンを読み込むパターン読込手段と、読み込んだ前記振動パターンを前記交流電磁界に重畳することで、前記振動パターンを前記携帯機器に送信するパターン送信手段と、を備えることを特徴とする。
【００１７】
また、請求項１１にかかる発明は、携帯機器において、振動可能な振動素子を備え、充電装置から充電される携帯機器において、前記振動素子の振動パターンを記憶可能なパターン記憶部と、前記充電装置に備えられた第１接続手段に発生した交流電磁界を検出する第２接続手段と、前記交流電磁界に重畳された前記振動パターンを受信するパターン受信手段と、受信した前記振動パターンを前記パターン記憶部に書き込むパターン書込手段と、利用者により設定された振動時刻を計測するタイマ手段と、前記振動時刻になった場合、前記パターン記憶部に記憶された前記振動パターンに基づいて、前記振動素子を駆動する振動制御手段と、を備えることを特徴とする。
【発明の効果】
【００１８】
本発明によれば、利用者にとって感知しやすい携帯機器の振動パターンを設定できるとともに、充電装置側に振動パターンを制御する機能を備えたことにより、携帯機器の大型化や、デザインの自由度の低下等を防ぐことができるという効果を奏する。
【発明を実施するための最良の形態】
【００１９】
以下に添付図面を参照して、この発明にかかる充電システム、充電装置、および携帯機器の最良な実施形態を詳細に説明する。なお、以下の実施形態では、本発明の携帯機器を電子時計に適用した例をあげて説明する。
【００２０】
（第１の実施形態）
図１は、第１の実施形態にかかる充電システムの全体を示す斜視図である。図２は、第１の実施形態にかかる充電システムの全体を示す上面図である。図１、２に示すように、第１の実施形態の充電システムは、電源９００に接続され、電子時計２００に充電を行う充電装置１００と、振動可能な電子時計２００とから構成されている。また、電子時計２００を充電する場合は、図１に示すように、充電装置１００上の充電装置１００からの充電を受けることが可能な位置として充電装置１００上のほぼ中央にある充電位置に電子時計２００を載置している。ただし、これに限定されるものではなく、充電装置１００上のいずれの位置を充電位置として構成してもよい。第１の実施形態の充電システムは、充電装置１００が電子時計２００を充電するとともに、電子時計２００の振動の種類である振動パターンを、充電装置１００側の切替スイッチ１０４で切替えることができるものである。
【００２１】
図３は、第１の実施形態にかかる充電システムの構成を示すブロック図である。図３に示すように、本実施形態の充電システムは、１次側となる充電装置１００と、当該充電装置１００により充電される２次側となる電子時計２００と、を備えている。
【００２２】
本実施形態の充電システムでは、充電装置１００と電子時計２００との近接により、充電装置１００の１次アンテナ１０１と電子時計２００の２次アンテナ２０１との間で電磁誘導、電磁結合又は電磁波による作用が生じ、これら電磁的な作用により充電装置１００から電子時計２００への送電と、両機器間での情報の伝送（通信）が非接触で行われるようになっている。
【００２３】
まず、充電装置１００の詳細について説明する。充電装置１００は、切替スイッチ１０４と、パターン記憶部１５０と、制御部１１０と、変調回路１０３と、１次アンテナ１０１と、受信回路１０２と、により主に構成されており、電源９００に接続されることで電力が供給される。
【００２４】
切替スイッチ１０４は、利用者により押下されることで、電子時計２００の振動パターンの切替えを受け付ける。具体的には、切替スイッチ１０４は、利用者により押下される度に、予め定められた順序に従って、複数ある振動パターンの切替えを受け付ける。
【００２５】
パターン記憶部１５０は、複数種類の電子時計２００の振動パターン、すなわち、後述する電子時計２００に設けられた振動モータ２０５の振動パターンを記憶するメモリなどの記憶媒体である。ここで、振動パターンは、パターン記憶部１５０内の記憶領域に格納されており、各振動パターンは、各記憶領域の位置を示すアドレスで識別される。
【００２６】
図４は、パターン記憶部に記憶された振動パターンと振動パターンが記憶されている記憶領域のアドレスとを示す説明図である。図４に示すように、パターン記憶部１５０には、アドレスＡの記憶領域に振動パターン１が、アドレスＢの記憶領域に振動パターン２が、アドレスＣの記憶領域に振動パターン３が記憶されている。ここでは、説明を容易にするために、図４に示すような振動パターンを示しているが、実際には、振動パルスのパルス幅を固定として、パルス間隔（時間）とパルスの振幅値としての駆動電圧の大きさ等の値が記憶されている。本実施形態では、パターン記憶部１５０に記憶された振動パターンは３種類であるが、これに限定されることなく、２種類または４種類以上の振動パターンを記憶してもよい。
【００２７】
制御部１１０は、充電装置１００の動作を統括的に制御するマイコンやＣＰＵ等の制御手段であって、さらに、パターン読込部１１１と、発振部１１２とから構成されている。
【００２８】
パターン読込部１１１は、切替スイッチ１０４から利用者により振動パターンの切替えを受け付けた場合、パターン記憶部１５０を参照して、現在の押下回数（何回目の押下か）と、予め定められたアドレス参照順序に従い、次の順序のアドレスの記憶領域から振動パターンを読み込む。具体的には、例えば、図４のような３種類の振動パターンがパターン記憶部１５０に記憶されている場合に、パターン読込部１１１が参照するアドレスの順序を、アドレスＡ、アドレスＢ、アドレスＣ、アドレスＡ、アドレスＢ…と繰り返すように定めておく。そして、パターン読込部１１１は、振動パターンの切替えを受け付けると、２回目の切替えであればアドレスＢを参照し、３回目の切替えであればアドレスＣを参照する等、上記のように定めた順序に従って、参照するアドレスを決定し、決定したアドレスに対応する振動パターンを読み込む。ここで、「予め定められたアドレス参照順序」と「現在の押下回数」は、図示しないメモリ等の記憶媒体に保持されており、利用者からの切替えを受け付けた場合に、当該メモリを参照して、振動パターンの読み込みを行う。
【００２９】
発振部１１２は、１００ＫＨｚ等の高周波電流を発生し、この高周波電流を変調回路１０３に出力する。
【００３０】
また、制御部１１０は、パターン読込部１１１が振動パターンを読み込むと、この振動パターン（デジタルデータ）を変調回路１０３に出力する。また、制御部１１０は、受信回路１０２から入力される電気信号から、当該電気信号に重畳された各種のデータを重畳方式に適した復調方式で復元する。また、制御部１１０は、電気信号に重畳された充電満了信号を復元すると、この充電満了信号をトリガとして、発振部１１２を停止させ、省電力モードへと移行する。
【００３１】
変調回路１０３は、発振部１１２から入力される高周波電流を変調し、制御部１１０から入力される振動パターン等の各種デジタルデータを、１次アンテナ１０１が発生する交流電磁界（充電電力）に重畳させることで、振動パターン等の各種デジタルデータを電子時計２００に送信する。
【００３２】
ここで、デジタルデータの交流電磁界への重畳方法は、公知の技術を用いることが可能である。例えば、ＦＳＫ（Frequency  Shift  Keying）やＰＳＫ（Phase  Shift  Keying）を用い、デジタルデータの“１”及び“０”のデータに応じて交流電磁界の周波数若しくは位相を変化させることでデジタルデータを重畳させる態様としてもよい。また、ＡＳＫ（Amplitude  Shift  Keying）やＯＯＫ（On-Off-Keying）を用い、デジタルデータの“１”及び“０”を、交流電磁界の波形の変化で表すことでデジタルデータを重畳させる態様としてもよい。さらには、これらの組み合わせやＢＰＳＫ（Binary  Phase  Shift  Keying）やＱＢＰＳＫ（Quadrature  Binary  Phase  Shift  Keying）等、他の方法を用いた態様としてもよい。
【００３３】
１次アンテナ１０１は、フェライトコアに巻き線を施したコイル等により構成され、変調回路１０３で変調された高周波電流の通電により交流電磁界を発生することで、電子時計２００の２次アンテナ２０１に交流電磁界（誘導起電力）を誘起する。また、１次アンテナ１０１は、２次アンテナ２０１に発生する交流電磁界を検出し、当該交流電磁界に応じた誘導起電力を発生する。
【００３４】
受信回路１０２は、１次アンテナ１０１に発生した交流の誘導起電力を、電気信号として制御部１１０に出力する。
【００３５】
次に、電子時計２００の詳細について説明する。電子時計２００は、２次アンテナ２０１と、受信回路２０２と、変調回路２０３と、表示部２０４と、パターン記憶部２５０と、制御部２１０と、振動モータ２０５と、蓄電回路２３０とにより主に構成されている。
【００３６】
２次アンテナ２０１は、１次アンテナ１０１と同様に、フェライトコアに巻き線を施したコイル等により構成され、１次アンテナ１０１に発生した交流電磁界を検出し、当該交流電磁界に応じた誘導起電力を発生する。また、２次アンテナ２０１は、変調回路２０３により変調された交流電磁界を発生することで、充電装置１００の１次アンテナ１０１に交流電磁界を誘起する。
【００３７】
受信回路２０２は、２次アンテナ２０１に発生した交流の誘導起電力を直流の電力（充電電力）や電気信号に変換し、制御部２１０に出力する。
【００３８】
変調回路２０３は、２次アンテナ２０１の交流電流磁界を変調することで、制御部２１０から入力された充電満了信号等のデジタルデータを当該交流電流磁界に重畳させ、１次アンテナ１０１に送信する。
【００３９】
表示部２０４は、時刻を示す数字をデジタル表示するものである。具体的には、表示部２０４は液晶表示部として構成される。なお、本実施形態では、本発明の携帯機器として電子時計を例にあげて説明しているが、携帯機器がアナログ時計の場合には、表示部２０４は、時刻を示す長針、短針、および秒針等を表示するように構成すればよい。
【００４０】
パターン記憶部２５０は、充電装置１００から受信した振動パターンを記憶するメモリ等の記憶媒体である。
【００４１】
制御部２１０は、電子時計２００の動作を統括的に制御する制御手段であって、さらに、蓄電制御部２１１と、パターン書込部２１２と、振動制御部２１３と、タイマ２１４と、計時部２１５とを備えている。
【００４２】
また、制御部２１０は、受信回路２０２から入力される電気信号から、当該電気信号に重畳された振動パターン等のデジタルデータを重畳方式に適した復調方式で復元する。
【００４３】
蓄電制御部２１１は、受信回路２０２により変換された充電電力を蓄電回路２３０の蓄電素子２３１に供給することで、蓄電回路２３０を充電する。また、蓄電制御部２１１は、後述する充電状態検出回路２３３から充電満了信号が入力されると、この充電満了信号を変調回路２０３に出力する。
【００４４】
パターン書込部２１２は、充電装置１００から受信して復元した振動パターンを、パターン記憶部２５０に上書きして書き込む。この書き込みによって、パターン記憶部２５０に上書きされた振動パターンが現在設定されている振動パターンとなる。
【００４５】
タイマ２１４は、不図示の操作部から利用者により設定された電子時計２００を振動させる振動時刻を計測する。
【００４６】
振動制御部２１３は、タイマ２１４の計測によって振動時刻になった場合、パターン記憶部２５０に記憶された振動パターンに基づいて、振動モータを駆動するものである。すなわち、パターン記憶部２５０に記憶された振動パターンのパルス間隔や駆動電圧の値に対応したパルスを発生させることで振動モータを駆動する。
【００４７】
計時部２１５は、ＲＴＣ（Real  Time  Clock）等によって時刻を計時し、表示部２０４に対する時刻のデジタル表示の制御を行う。なお、本実施形態では、本発明の携帯機器として電子時計を例にあげて説明しているが、携帯機器がアナログ時計の場合には、計時部２１５は、図示しない運針モータを駆動することで、表示部２０４に表示された長針、短針、および秒針等を移動させるように構成すればよい。
【００４８】
振動モータ２０５は、振動制御部２１３の指示に従って振動するものであり、この振動によって電子時計２００自体を振動させて、設定された振動時刻を利用者に気付かせるものである。
【００４９】
蓄電回路２３０は、さらに蓄電素子２３１と、スイッチ回路２３２と、充電状態検出回路２３３と、を備え、蓄電制御部２１１から供給される電力は蓄電素子２３１に蓄電させるようになっている。
【００５０】
蓄電素子２３１は、コンデンサや２次電池等の蓄電器や蓄電池であって、蓄電制御部２１１から供給される電力を蓄電するとともに、制御部２１０や振動モータ２０５に電力を供給する。
【００５１】
スイッチ回路２３２は、充電状態検出回路２３３の制御により、蓄電素子２３１と蓄電回路２３０との電気的な接続をオン状態（導通状態）とオフ状態（不導通状態）とに切替える。なお、デフォルトの状態はオン状態であるものとする。
【００５２】
充電状態検出回路２３３は、蓄電素子２３１の蓄電量を検出し、当該蓄電量が所定量を上回ったと判定した場合に、スイッチ回路２３２をオフ状態にして蓄電素子２３１を蓄電回路２３０から切り離すとともに、充電満了信号を制御部２１０に出力する。ここで、所定量とは、例えば、８５％の蓄電量や９５％の蓄電量等、任意の値を設定できるものとする。
【００５３】
次に、このように構成された第１の実施形態にかかる充電システムによる振動パターン切替処理について、図５、６を参照して説明する。図５は、第１の実施形態における充電装置側の振動パターン切替処理の流れを示すフローチャートである。図６は、第１の実施形態における電子時計側の振動パターン切替処理の流れを示すフローチャートである。
【００５４】
まず、図５により充電装置１００側の処理を説明する。制御部１１０は、利用者により切替スイッチ１０４が押下されたか否かの判断をする（ステップＳ１０）。切替スイッチ１０４が押下されていない場合（ステップＳ１０：Ｎｏ）、ステップＳ１０の処理を繰り返す。一方、切替スイッチ１０４が押下された場合（ステップＳ１０：Ｙｅｓ）、パターン読込部１１１は、切替スイッチ１０４の押下の回数により、パターン記憶部１５０内の参照するアドレスを決定する（ステップＳ１１）。
【００５５】
そして、パターン読込部１１１は、パターン記憶部１５０を参照して、決定したアドレスの記憶領域から振動パターンを読み込む（ステップＳ１２）。そして、制御部１１０が、読み込んだ振動パターンを変調回路１０３に出力し、変調回路１０３が、振動パターンを１次アンテナ１０１が発生する交流電磁界に重畳させることで、振動パターンを電子時計２００に送信する（ステップＳ１３）。
【００５６】
次に、図６により電子時計２００側の処理を説明する。受信回路２０２が、２次アンテナ２０１に発生した交流の誘導起電力を電気信号に変換して制御部２１０に出力し、制御部２１０が、当該電気信号に重畳された振動パターンを重畳方式に適した復調方式で復元することで、充電装置１００から振動パターンを受信する（ステップＳ２０）。
【００５７】
次に、パターン書込部２１２は、パターン記憶部２５０に、受信した振動パターンを上書きして書き込む（ステップＳ２１）。振動制御部２１３は、タイマ２１４の計測により振動時刻になったか否かの判断をする（ステップＳ２２）。振動時刻になっていない場合（ステップＳ２２：Ｎｏ）、振動時刻になるまで待機する。一方、振動時刻になった場合、振動制御部２１３は、パターン記憶部２５０に記憶された振動パターンに基づいて、振動モータを駆動する（ステップＳ２３）。これによって、電子時計２００が振動して、振動時刻を利用者に気付かせる。
【００５８】
このように、第１の実施形態では、充電装置１００において利用者により切替られた振動パターンを電子時計２００に送信することで、予め定められた振動時刻になった場合、電子時計２００は、受信した振動パターンによって振動する。従って、利用者にとって感知しやすい電子時計の振動パターンを設定でき、充電装置側に振動パターンを切替える機能を備えたことにより、利用者に鋭敏かつ適当な振動を伝えることができ、電子時計の大型化やデザインの自由度の低下等を防ぐことができる。
【００５９】
（第２の実施形態）
第１の実施形態の充電システムは、充電装置が電子時計を充電するとともに、電子時計の振動パターンを、充電装置側で切替えることができるものであった。本実施形態およびその変形例では、充電装置上の充電位置に電子時計が載置されている状態では、振動時刻になった場合でも振動しないようにする充電システムについて説明する。充電装置上の充電位置に電子時計が載置されている状態の一つの例として、第２の実施形態では、電子時計の充電中は、振動時刻になった場合でも振動しないようにする充電システムである。
【００６０】
本実施形態の充電システムは、第１の実施形態と同様、充電装置３００から電子時計４００への送電と、両機器間での情報の伝送（通信）が非接触で行われる。
【００６１】
ここで、本実施形態の充電システムに関する技術背景を述べる。上述したような非接触による充電方法は、充電装置側の１次アンテナと電子時計側の２次アンテナとの配置関係によって充電をする際の効率が異なり、本来は一番効率の良い場所に電子時計を置いて充電を開始するのが理想である。しかしながら、電子時計を充電している最中に利用者の設定した振動時刻になると電子時計が振動し、一番効率の良い充電場所から電子時計がずれてしまうことがあった。
【００６２】
このように電子時計がずれないような対策として、充電装置と電子時計の位置を固定して充電する方法が開示されている（特開２００６−３４９４９９参照）。しかしながら、この方法では、電子時計が振動する際に充電装置も一緒に振動し、例えば、充電装置を机の上に置いていた場合、充電装置ごと机から落下する恐れがあり、充電ができないことはもちろん、最悪の事態として火災などの２次災害を起こしてしまう可能性があった。
【００６３】
ここで、充電装置本体の重量を増やすことで、電子時計の振動に対して充電装置が動かないようにする方法が考えられるが、この方法では、充電装置の製造コストが増加する上、充電装置の携帯性も低下してしまう。従って、本実施形態では、振動時刻になった場合でも、充電中には電子時計が振動しない充電システムについて説明する。
【００６４】
図７は、第２の実施形態にかかる充電システムの構成を示すブロック図である。図７に示すように、本実施形態の充電システムは、充電装置３００と、当該充電装置３００により充電される電子時計４００と、を備えている。
【００６５】
まず、電子時計４００の詳細について説明する。電子時計４００は、２次アンテナ２０１と、受信回路２０２と、変調回路２０３と、表示部２０４と、パターン記憶部２５０と、ＲＡＭ（Random Access Memory）４５０と、制御部４１０と、振動モータ２０５と、蓄電回路２３０とにより主に構成されている。
【００６６】
ここで、２次アンテナ２０１と、受信回路２０２と、変調回路２０３と、表示部２０４と、パターン記憶部２５０と、振動モータ２０５と、蓄電回路２３０の構成および機能は、第１の実施形態と同様であるため説明を省略する。
【００６７】
ＲＡＭ４５０は、予め定められた振動時刻の数分前から振動時刻までの蓄電素子２３１に蓄電された充電電力の電圧値、および蓄電回路２３０が充電中か否かを示す充電状態を記憶する揮発性の半導体メモリである。図８は、ＲＡＭに記憶された充電電力の電圧値の説明図である。図８に示すように、ＲＡＭ４５０には、時間ｔ１、ｔ２、ｔ３等と電圧値が示されている。時間ｔ１、ｔ２、ｔ３を比較すると、時間の経過と共に電圧が上昇していることがわかる。この電圧の変化により後述する充電判定部４１７が充電中か否かの判定をする。
【００６８】
制御部４１０は、電子時計４００の動作を統括的に制御する制御手段であって、さらに、蓄電制御部２１１と、パターン書込部２１２と、振動制御部４１３と、タイマ２１４と、計時部２１５と、充電状態監視部４１６と、充電判定部４１７と、準備部４１８とを備えている。
【００６９】
ここで、蓄電制御部２１１と、パターン書込部２１２と、タイマ２１４と、計時部２１５の機能および構成は、第１の実施形態と同様であるため説明を省略する。
【００７０】
充電状態監視部４１６は、準備部４１８の指令により、予め定められた振動時刻の数分前、例えば９分前から振動時刻までの間、蓄電回路２３０の蓄電素子２３１を所定の間隔で監視し、蓄電素子２３１の電圧値を取得してＲＡＭ４５０に書き込むものであり、例えばＡ／Ｄコンバータなどである。
【００７１】
充電判定部４１７は、ＲＡＭ４５０に記憶された電圧値を参照して、電子時計４００が現在充電中であるか否かを判定し、判定結果である充電状態をＲＡＭ４５０に書き込む。具体的には、例えば、充電判定部４１７は、所定間隔の時間におけるそれぞれの電圧値を比較した場合に、その電圧値が上昇傾向にある場合は充電中であると判定し、下降傾向にある場合は充電中ではないと判定する。例えば、図８のような電圧値の場合、時間ｔ１、ｔ２、ｔ３を比較すると電圧値が上昇傾向にあるため、その間は充電中であることがわかる。そして、充電中か否かの充電状態をＲＡＭ４５０に書き込む。
【００７２】
準備部４１８は、タイマ２１４の計測によって、予め定められた振動時刻の数分前になった場合、充電状態監視部４１６に対して蓄電素子２３１の監視指令を送る。また、準備部４１８は、タイマ２１４の計測によって振動時刻になった場合に、ＲＡＭ４５０を参照し電子時計４００が充電中であった場合、電子時計４００が充電中である旨の充電信号を、変調回路２０３を介して充電装置３００に送信する。
【００７３】
振動制御部４１３は、準備部４１８が送信した充電信号の応答として、充電装置３００から振動モータ２０５を駆動させない指示である振動抑制信号を、受信回路２０２を介して受信した場合、振動モータ２０５を駆動しない。つまり、振動モータ２０５を駆動しないことで、充電中には電子時計４００が振動しないことになる。
【００７４】
次に、充電装置３００の詳細について説明する。充電装置３００は、切替スイッチ１０４と、パターン記憶部１５０と、制御部１１０と、変調回路１０３と、１次アンテナ１０１と、受信回路１０２と、振動制御回路３０５により主に構成されており、電源９００に接続されることで電力が供給される。
【００７５】
ここで、切替スイッチ１０４と、パターン記憶部１５０と、制御部１１０と、変調回路１０３と、１次アンテナ１０１と、受信回路１０２の構成および機能は、第１の実施形態と同様であるため説明を省略する。
【００７６】
振動制御回路３０５は、電子時計４００から充電信号を受信した場合、振動抑制信号を１次アンテナ１０１が発生する交流電磁界に重畳させることで、振動抑制信号を電子時計４００に送信する。
【００７７】
次に、このように構成された第２の実施形態にかかる充電システムによる振動抑制処理について、図９−１、９−２を参照して説明する。図９−１は、第２の実施形態における電子時計側の振動抑制処理の流れを示すフローチャートである。図９−２は、第２の実施形態における充電装置側の振動抑制処理の流れを示すフローチャートである。
【００７８】
まず、図９−１により電子時計４００側の処理を説明する。予め定められた振動時刻の数分前になると、準備部４１８の指令により、充電状態監視部４１６は、蓄電素子２３１の電圧値を取得し（ステップＳ３０）、取得した電圧値をＲＡＭ４５０に書き込む（ステップＳ３１）。
【００７９】
次に、充電判定部４１７は、ＲＡＭ４５０に記憶された電圧値を参照することで電子時計４００が充電中であるか否かの判定を行い（ステップＳ３２）、判定した充電状態をＲＡＭ４５０に書き込む（ステップＳ３３）。そして、準備部４１８は、タイマ２１４の計測により振動時刻になったか否かの判断をする（ステップＳ３４）。振動時刻になっていない場合（ステップＳ３４：Ｎｏ）、ステップＳ３０に戻って処理を繰り返す。
【００８０】
一方、振動時刻になった場合（ステップＳ３４：Ｙｅｓ）、準備部４１８は、ＲＡＭ４５０を参照し電子時計４００が充電中であるか否かの判断をする（ステップＳ３５）。充電中でない場合（ステップＳ３５：Ｎｏ）、振動制御部４１３は、パターン記憶部２５０に記憶された振動パターンに基づいて、振動モータを駆動する（ステップＳ３６）。
【００８１】
一方、充電中である場合（ステップＳ３５：Ｙｅｓ）、準備部４１８は、充電信号を充電装置３００に送信する（ステップＳ３７）。そして、充電装置３００から振動抑制信号を受信すると（ステップＳ３８）、処理を終了する。つまり、振動抑制信号を受信した場合は、振動制御部４１３は、振動モータ２０５を駆動しないことで、充電中には電子時計４００が振動しないようになる。
【００８２】
次に、図９−２により充電装置３００側の処理を説明する。振動制御回路３０５は、電子時計４００から充電信号を受信する（ステップＳ４０）。そして、充電信号を受信すると、振動制御回路３０５は、振動抑制信号を１次アンテナ１０１が発生する交流電磁界に重畳させることで、振動抑制信号を電子時計４００に送信する（ステップＳ４１）。
【００８３】
このように、第２の実施形態では、電子時計４００が充電中である場合には、充電装置から電子時計に振動抑制信号を送信することにより、振動時刻になっても電子時計を振動させない。従って、電子時計４００の充電中に無駄な電力を消費することなく、かつ安全性が向上する。
【００８４】
（第２の実施形態の変形例）
第２の実施形態の充電システムは、電子時計の充電中では、振動時刻になっても電子時計が振動しないものである。そうすると、電子時計の充電が満了した後に、電子時計が充電装置上の充電位置に載置されたままの場合は、充電が満了しているので電子時計は充電中ではなく、振動時刻になると電子時計が振動してしまい、上述したように、充電装置ごと机から落下する恐れ等がある。そこで、充電装置上の充電位置に電子時計が載置されている状態の他の例として、第２の実施形態の変形例では、充電装置上の充電位置に電子時計が載置されている状態であって、充電中の状態が完了して充電が満了している場合は、振動時刻になっても電子時計が振動しない充電システムについて説明する。
【００８５】
本実施形態では、第２の実施形態における図７を参照して、第２の実施形態と異なる構成を説明する。まず、電子時計４００のＲＡＭ４５０、充電判定部４１７、準備部４１８、振動制御部４１３について説明する。
【００８６】
ＲＡＭ４５０は、予め定められた振動時刻の数分前から振動時刻までの蓄電素子２３１に蓄電された充電電力の電圧値、および蓄電回路２３０が充電満了の状態か否かを示す充電状態を記憶する揮発性の半導体メモリである。
【００８７】
充電判定部４１７は、第２の実施形態の機能に加え、ＲＡＭ４５０に記憶された電圧値を参照して、電子時計４００の充電が満了している状態か否かを判定し、判定結果である充電状態をＲＡＭ４５０に書き込む。具体的には、例えば、充電判定部４１７は、所定間隔の時間におけるそれぞれの電圧値を比較して、その電圧値が予め不図示のメモリ等に記憶しておいた満了充電の電圧値（Ｖmax）を一定時間保っている場合は充電満了の状態と判定する。そして、充電満了か否かの充電状態をＲＡＭ４５０に書き込む。
【００８８】
準備部４１８は、第２の実施形態の機能に加え、タイマ２１４の計測によって振動時刻になった場合に、ＲＡＭ４５０を参照し電子時計４００が充電満了の状態であった場合、電子時計４００が充電満了である旨の充電満了信号を、変調回路２０３を介して充電装置３００に送信する。
【００８９】
振動制御部４１３は、第２の実施形態の機能に加え、準備部４１８が送信した充電満了信号の応答として、充電装置３００から振動モータ２０５を駆動させない指示である振動抑制信号を、受信回路２０２を介して受信した場合、振動モータ２０５を駆動しない。つまり、振動モータ２０５を駆動しないことで、充電が満了している場合にも電子時計４００が振動しないことになる。
【００９０】
次に、充電装置３００の振動制御回路３０５について説明する。
【００９１】
振動制御回路３０５は、第２の実施形態の機能に加え、電子時計４００から充電満了信号を受信した場合、振動抑制信号を１次アンテナ１０１が発生する交流電磁界に重畳させることで、振動抑制信号を電子時計４００に送信する。
【００９２】
次に、このように構成された第２の実施形態の変形例にかかる充電システムによる振動抑制処理について、図１０−１、１０−２を参照して説明する。図１０−１は、第２の実施形態の変形例における電子時計側の振動抑制処理の流れを示すフローチャートである。図１０−２は、第２の実施形態における充電装置側の振動抑制処理の流れを示すフローチャートである。
【００９３】
まず、図１０−１により電子時計４００側の処理を説明する。ここで、電圧値の取得からＲＡＭ４５０への充電状態の書き込みまでの処理（ステップＳ１３０〜ステップＳ１３３）は、第２の実施形態の処理と同様であるため説明を省略する（ステップＳ３０〜ステップＳ３３）。
【００９４】
次に、準備部４１８は、タイマ２１４の計測により振動時刻になったか否かの判断をする（ステップＳ１３４）。振動時刻になっていない場合（ステップＳ１３４：Ｎｏ）、ステップＳ３０に戻って処理を繰り返す。
【００９５】
一方、振動時刻になった場合（ステップＳ１３４：Ｙｅｓ）、準備部４１８は、ＲＡＭ４５０を参照し電子時計４００が充電満了の状態であるか否かの判断をする（ステップＳ１３５）。充電満了の状態でない場合（ステップＳ１３５：Ｎｏ）、振動制御部４１３は、パターン記憶部２５０に記憶された振動パターンに基づいて、振動モータを駆動する（ステップＳ１３６）。
【００９６】
一方、充電満了の状態である場合（ステップＳ１３５：Ｙｅｓ）、準備部４１８は、充電満了信号を充電装置３００に送信する（ステップＳ１３７）。そして、充電装置３００から振動抑制信号を受信すると（ステップＳ１３８）、処理を終了する。つまり、振動抑制信号を受信した場合は、振動制御部４１３は、振動モータ２０５を駆動しないことで、充電満了の状態では電子時計４００が振動しないようになる。また、振動抑制信号を受信しなかった場合は、電子時計４００は振動を行うようになる。
【００９７】
次に、図１０−２により充電装置３００側の処理を説明する。振動制御回路３０５は、電子時計４００から充電満了信号を受信する（ステップＳ１４０）。そして、充電満了信号を受信すると、振動制御回路３０５は、振動抑制信号を１次アンテナ１０１が発生する交流電磁界に重畳させることで、振動抑制信号を電子時計４００に送信する（ステップＳ１４１）。
【００９８】
このように、第２の実施形態の変形例では、電子時計４００が充電満了の状態である場合には、充電装置３００から電子時計４００に振動抑制信号を送信することにより、振動時刻になっても電子時計４００を振動させない。従って、電子時計４００の充電が満了している状態において、無駄な電力を消費することなく、かつ安全性が向上する。また、第２の実施形態の変形例では、電子時計４００の充電が満了している場合に、充電装置３００からの振動抑制信号を送信することにより、充電装置３００の充電位置に、電子時計４００が載置されていることを確認することができる。従って、充電装置３００の充電位置に電子時計４００が載置されている場合は、電子時計４００は振動しないことになる。一方、充電装置３００の充電位置に電子時計４００が載置されていない場合は、電子時計４００は振動抑制信号を受信しないため、振動時刻になると振動することになる。
【００９９】
（第３の実施形態）
第１の実施形態の充電システムは、充電装置が電子時計を充電するとともに、電子時計の振動パターンを充電装置側で切替えることができるものであった。また、第２の実施形態では、さらに、電子時計の充電中は、振動時刻になった場合でも振動しないようにするものであった。本実施形態では、さらに、充電装置側において電子時計の振動パターンが生成できる充電システムである。
【０１００】
ここで、本実施形態の充電システムに関する技術背景を述べる。電子時計を設定した振動時刻に振動させる場合、振動時刻になった瞬間、利用者に振動を感知させる必要がある。しかし、人間の触感は、その人のバイオリズムや疲れ等にも起因して変化するため、同じ振動であっても必ずしも振動した瞬間に利用者が感知できるわけではなかった。例えば、出張前にある程度の振動量で電子時計の振動を感知できた利用者が、出張で疲れが溜まると、同じ振動量では感知できなくなるということが考えられる。仮に目覚まし等に使用した場合でも、疲れが溜まっている時と、溜まっていない時では同じ振動で起きられるか否かの結果が変わる場合がある。
【０１０１】
ここで、従来例(特開平８−３２０３８４号公報)にあるように、電子時計に外部スイッチを備え、振動制御回路から直接振動パターンを読み込み、利用者が所望する振動パターンに変更できる機能を備えた電子時計が知られている。しかしながら、このような振動制御回路を電子時計自身に備えることは、電子時計の大型化やデザインの自由度が低下するという問題があった。従って、本実施形態では、利用者が所望する振動パターンを充電装置側で生成できる充電システムについて説明する。
【０１０２】
図１１は、第３の実施形態にかかる充電システムの全体を示す斜視図である。図１１に示すように、第３の実施形態の充電システムは、電源９００に接続され、電子時計４００に充電を行う充電装置５００と、振動可能な電子時計４００とから構成されている。この充電システムは、利用者による充電装置５００に設けられた回転数ダイヤル５０６および間隔ダイヤル５０７の操作に基づいて振動パターンを生成する。また、本実施形態の充電システムは、第１の実施形態と同様、充電装置５００から電子時計４００への送電と、両機器間での情報の伝送（通信）が非接触で行われる。
【０１０３】
図１２は、第３の実施形態にかかる充電システムの構成を示すブロック図である。図１２に示すように、本実施形態の充電システムは、充電装置５００と、当該充電装置５００により充電される電子時計４００と、を備えている。ここで、電子時計４００の構成および機能は、第２の実施形態と同様であるため説明を省略する。
【０１０４】
次に、充電装置５００の詳細について説明する。充電装置５００は、切替スイッチ５０４と、回転数ダイヤル５０６と、間隔ダイヤル５０７と、パターン記憶部１５０と、制御部５１０と、変調回路１０３と、１次アンテナ１０１と、受信回路１０２と、振動制御回路３０５により主に構成されており、電源９００に接続されることで電力が供給される。
【０１０５】
ここで、パターン記憶部１５０と、変調回路１０３と、１次アンテナ１０１と、受信回路１０２と、振動制御回路３０５の構成および機能は、第２の実施形態と同様であるため説明を省略する。
【０１０６】
切替スイッチ５０４は、利用者により押下されることで、電子時計４００の振動パターンの切替えを受け付ける。具体的には、切替スイッチ５０４は、第１の実施形態と同様に、利用者により押下される度に、予め定められた順序に従って、複数ある振動パターンの切替えを受け付ける。また、利用者により所定時間継続して押下されることで、すなわち、いわゆる長押しされることで、振動パターンを生成するための回転数ダイヤル５０６および間隔ダイヤル５０７の操作入力の受け付けが可能となる。
【０１０７】
回転数ダイヤル５０６は、利用者からの操作入力によりダイヤル値の変更を受け付けるものである。この回転数ダイヤル５０６により変更されるダイヤル値は、振動パターンの振幅値としての電子時計４００に設けられた振動モータ２０５の駆動電圧、すなわち回転数を変更するための値である。ここでは、駆動電圧を調整して振動パターンを生成しているが、電流を調整して振動パターンを生成するよう構成してもよい。
【０１０８】
間隔ダイヤル５０７は、利用者からの操作入力によりダイヤル値の変更を受け付けるものである。この間隔ダイヤル５０７により変更されるダイヤル値は、振動パターンのパルス間隔を長くしたり、短く設定するための値である。なお、ここで、本実施形態では、パルス幅が固定値として考えている。
【０１０９】
制御部５１０は、充電装置５００の動作を統括的に制御するマイコンやＣＰＵ等の制御手段であって、さらに、パターン読込部１１１と、発振部１１２と、パターン生成部５１３とにより構成されている。ここで、パターン読込部１１１と発振部１１２の構成および機能は、第２の実施形態と同様であるため説明を省略する。
【０１１０】
パターン生成部５１３は、利用者からの回転数ダイヤル５０６および間隔ダイヤル５０７で変更された各ダイヤル値に基づいて、電子時計４００の振動パターンを生成する。具体的には、回転数ダイヤル５０６により調整された駆動電圧の値を振幅値とし、間隔ダイヤル５０７により調整されたダイヤル値でパルス間隔を定めたパルスの振動パターンを生成する。そして、パターン生成部５１３は、生成した振動パターンをパターン記憶部１５０に書き込む。
【０１１１】
また、制御部５１０は、パターン生成部５１３が振動パターンを生成すると、この振動パターン（デジタルデータ）を変調回路１０３に出力する。
【０１１２】
次に、このように構成された第３の実施形態にかかる充電システムによる振動パターン生成処理について、図１３を参照して説明する。図１３は、第３の実施形態における充電装置側の振動パターン生成処理の流れを示すフローチャートである。
【０１１３】
まず、制御部５１０は、利用者により切替スイッチ５０４が押下されたか否かの判断をする（ステップＳ５０）。切替スイッチ５０４が押下されていない場合（ステップＳ５０：Ｎｏ）、ステップＳ５０の処理を繰り返す。一方、切替スイッチ５０４が押下された場合（ステップＳ５０：Ｙｅｓ）、制御部５１０は、利用者による切替スイッチ５０４の押下が所定時間継続されたか否かの判断をする（ステップＳ５１）。
【０１１４】
切替スイッチ５０４の押下が所定時間継続されなかった場合の（ステップＳ５１：Ｎｏ）、パターン読込部１１１による参照するアドレスを決定から、制御部５１０による振動パターンの電子時計２００への送信までの処理（ステップＳ５２〜５４）は、第１の実施形態の処理と同様であるため説明を省略する（図５：ステップＳ１１〜１３参照）。
【０１１５】
一方、切替スイッチ５０４の押下が所定時間継続された場合（ステップＳ５１：Ｙｅｓ）、利用者から回転数ダイヤル５０６および間隔ダイヤル５０７の操作入力を受け付け（ステップＳ５５）、パターン生成部５１３は、回転数ダイヤル５０６および間隔ダイヤル５０７への操作入力に基づいて、電子時計４００の振動パターンを生成する（ステップＳ５６）。
【０１１６】
次に、パターン生成部５１３は、生成した振動パターンをパターン記憶部１５０に書き込む（ステップＳ５７）。そして、制御部５１０が、生成した振動パターンを変調回路１０３に出力し、変調回路１０３が、生成した振動パターンを１次アンテナ１０１が発生する交流電磁界に重畳させることで、生成した振動パターンを電子時計４００に送信する（ステップＳ５８）。
【０１１７】
そして、パターン読込部１１１により読み込んだ振動パターンを電子時計４００に送信した場合（ステップＳ５４）、およびパターン生成部５１３により生成した振動パターンを電子時計４００に送信した場合（ステップＳ５８）に、送信された振動パターンで電子時計４００を振動させる処理については、第１の実施形態の処理と同様であるため説明を省略する（図６参照）。
【０１１８】
このように、第３の実施形態では、充電装置５００において利用者から受け付けた操作入力に基づいて生成された振動パターンを電子時計４００に送信することで、予め定められた振動時刻になった場合、電子時計２００は、充電装置５００で生成された振動パターンによって振動する。従って、利用者は、その時の体調などに合わせて振動パターンを生成することで、電子時計の振動を感知しやすくすることができる。更に、充電装置側に振動パターンを生成する構成を備えたことにより、電子時計の大型化やデザインの自由度の低下等を防ぐことができる。
【０１１９】
（第３の実施形態の変形例）
第３の実施形態では、充電装置側において振動パターンを生成して電子時計に送信することで、電子時計が当該生成された振動パターンにより振動するものであったが、生成した振動パターンを電子時計の記憶媒体に複数記憶しておき、電子時計側で振動パターンを切替えて振動する構成にしてもよい。
【０１２０】
図１２を参照して具体的に説明すると、充電装置５００側において利用者による操作入力に基づく振動パターンを生成し、生成した振動パターンを電子時計４００に送信する。そして、電子時計４００では、既存の振動パターンに加え、充電装置において生成された振動パターンをパターン記憶部２５０に記憶しておく。
【０１２１】
図１４は、切替スイッチを備えた電子時計の外観を示す図である。図１４に示すように、電子時計４００には、切替スイッチ４９０が設けられている。この切替スイッチ４９０を押下する度に、予め定められた順序に従って、パターン記憶部２５０に記憶された複数の振動パターンの切替えを受け付ける。そして、振動時刻になった場合に、電子時計４００側で切替えられた振動パターンによる振動を行う。
【０１２２】
このように、充電装置側に振動パターンを生成する構成を備えたことにより、電子時計の大型化やデザインの自由度の低下等を防ぐことができる。さらに、充電装置を所持していない場合でも、予め振動パターンを生成して電子時計に記憶させておけば、生成した振動パターンに切替えることができる。
【０１２３】
（第４の実施形態）
第１の実施形態の充電システムは、充電装置が電子時計を充電するとともに、電子時計の振動パターンを充電装置側で切替えることができるものであった。また、第２の実施形態では、さらに、電子時計の充電中は、振動時刻になった場合でも振動しないようにするものであった。また、第３の実施形態の充電システムでは、さらに、充電装置側において電子時計の振動パターンが生成できる充電システムであった。そして、本実施形態では、さらに、現在設定されている振動パターンを電子時計に視覚的に表示するものである。
【０１２４】
ここで、本実施形態の充電システムに関する技術背景を述べる。利用者にとって最も感知しやすい振動パターンとは人それぞれ異なっている。従って、電子時計の利用者は、状況などに応じて自分に最も適した振動パターンを生成するが、従来例(特開平８−３２０３８４号公報）では、人が肌で感じつつ、その感覚を頼りに振動パターンを生成していたため、振動パターンを生成することが困難な場合もあった。
【０１２５】
また、圧力センサーによる肌との密着具合から振動パターンを自動的に生成する記載もあるが、この場合は、利用者によってそれが最適な振動パターンであるか否かは、利用者の状況や状態などによって異なるため、必ずしも最適な振動パターンとはいえなかった。従って、本実施形態では、現在の振動パターンがどのような振動パターンなのかを視覚的に把握することができることで、次の振動パターンの生成が行いやすくなる充電システムについて説明する。
【０１２６】
図１５は、第４の実施形態にかかる充電システムの構成を示すブロック図である。図１５に示すように、本実施形態の充電システムは、充電装置７００と、当該充電装置７００により充電される電子時計８００と、を備えている。また、本実施形態の充電システムは、第１の実施形態と同様、充電装置７００から電子時計８００への送電と、両機器間での情報の伝送（通信）が非接触で行われる。
【０１２７】
まず、充電装置７００の詳細について説明する。充電装置７００は、切替スイッチ５０４と、回転数ダイヤル５０６と、間隔ダイヤル５０７と、パターン記憶部１５０と、画像記憶部７５０と、制御部７１０と、変調回路１０３と、１次アンテナ１０１と、受信回路１０２と、振動制御回路３０５により主に構成されており、電源９００に接続されることで電力が供給される。
【０１２８】
ここで、切替スイッチ５０４と、回転数ダイヤル５０６と、間隔ダイヤル５０７と、パターン記憶部１５０と、変調回路１０３と、１次アンテナ１０１と、受信回路１０２と、振動制御回路３０５の構成および機能は、第３の実施形態と同様であるため説明を省略する。
【０１２９】
画像記憶部７５０は、パターン生成部５１３により生成された振動パターンと、該生成された振動パターンを視覚的に示す画像であるパターン画像とを対応付けて記憶するメモリ等の記憶媒体である。
【０１３０】
制御部７１０は、充電装置７００の動作を統括的に制御するマイコンやＣＰＵ等の制御手段であって、さらに、パターン読込部１１１と、発振部１１２と、パターン生成部５１３と、パターン画像生成部７１４とにより構成されている。ここで、パターン読込部１１１と、発振部１１２と、パターン生成部５１３の構成および機能は、第３の実施形態と同様であるため説明を省略する。
【０１３１】
パターン画像生成部７１４は、パターン生成部５１３によって生成された振動パターンに基づいて、生成された振動パターンを視覚的に示す画像であるパターン画像を生成する。以下に、パターン画像の生成方法の詳細を説明する。
【０１３２】
図１６は、パターン画像の生成方法に関する説明図である。例えば、パターン生成部５１３によって振動パターンを生成する場合、駆動電圧の大きさを示す３段階の設定値（ダイヤル値）「０」「１」「２」と、振動パターンのパルス間隔を示す３段階の設定値（ダイヤル値）「０」「１」「２」とを用いて調整するよう設計する。そして、生成された振動パターンの駆動電圧をＡとし、パルス間隔をＴとすると、
駆動電圧の設定値×ｎ＝Ａ  （式１）
パルス間隔の設定値×ｎ＝Ｔ  （式２）
という２式で表すことができる。ここで、式１、２のｎとは、任意の長さ単位をあらわしており、例えば、図１６で示す１マスの縦および横の長さに相当する。
【０１３３】
仮に、利用者により駆動電圧の設定値を「２」、パルス間隔の設定値を「２」とする操作入力された場合に、上記式１、２にそれらの値を代入すると、
Ａ＝２ｎ
Ｔ＝２ｎ
と表すことができ、図１６に示すようなパターン画像が生成される。このようにして、パターン画像生成部７１４は、パターン画像を生成する。ここで、駆動電圧の設定値を「０」とすると、パルス間隔の設定値に関わらず、電子時計は振動しないことになる。
【０１３４】
また、制御部７１０は、パターン生成部５１３が振動パターンを生成すると、この振動パターン（デジタルデータ）を変調回路１０３に出力し、パターン画像生成部７１４がパターン画像を生成すると、このパターン画像を変調回路１０３に出力する。
【０１３５】
次に、電子時計８００の詳細について説明する。電子時計８００は、２次アンテナ２０１と、受信回路２０２と、表示部８０４と、パターン記憶部２５０と、ＲＡＭ４５０と、画像記憶部８５０と、制御部８１０と、振動モータ２０５と、蓄電回路２３０と、により主に構成されている。
【０１３６】
ここで、２次アンテナ２０１と、受信回路２０２と、パターン記憶部２５０と、ＲＡＭ４５０と、振動モータ２０５と、蓄電回路２３０の構成および機能は、第３の実施形態と同様であるため説明を省略する。
【０１３７】
表示部８０４は、時刻を示す数字をデジタル表示するものである。具体的には、表示部８０４は液晶表示部として構成される。なお、本実施形態では、本発明の携帯機器として電子時計を例にあげて説明しているが、携帯機器がアナログ時計の場合には、表示部８０４は、時刻を示す長針、短針、および秒針等を表示する。さらに、表示部８０４は、パターン表示部８０７を備えている。
【０１３８】
パターン表示部８０７は、電子時計８００が現在設定されている振動パターンに対応するパターン画像を表示するもので、ＬＣＤ（Liquid Crystal Display）などである。図１７は、電子時計に設けられたパターン表示部の説明図である。図１７に示すように、パターン表示部８０７は、表示部８０４内に設けられている。
【０１３９】
図１８は、パターン表示部に表示されたパターン画像の一例を示す図である。図１８に示すように、パターン画像は、表示Ａ、表示Ｂ、表示Ｃのように表示される。表示Ａのパターン画像は、表示Ｂのパターン画像と比較すると、駆動電圧が小さく、パルス間隔が長いことがわかる。このようなパターン画像を視覚的に確認することによって、次回これらのパターン画像を参考にして振動パターンを生成することができる。また、表示Ｃは、充電中におけるパターン画像を示しており、第２の実施形態で説明したように、充電中には電子時計は振動しない旨を表している。図１９は、パターン表示部に表示されたパターン画像の他の一例を示す図である。図１９に示すように、パルス間隔や駆動電圧を表示Ｄ、表示Ｅのように表示してもよい。
【０１４０】
画像記憶部８５０は、パターン記憶部２５０に記憶されている既存の振動パターンと、その振動パターンを視覚的に示す画像であるパターン画像とを対応付けて記憶するメモリなどの記憶媒体である。また、画像記憶部８５０は、充電装置７００において生成された振動パターンと、その生成された振動パターンに基づいて生成されたパターン画像とを対応付けて記憶する。
【０１４１】
制御部８１０は、電子時計８００の動作を統括的に制御する制御手段であって、さらに、蓄電制御部２１１と、パターン書込部８１２と、振動制御部４１３と、タイマ２１４と、計時部２１５と、充電状態監視部４１６と、充電判定部４１７と、準備部４１８と、表示制御部８１９とを備えている。また、制御部２１０は、２次アンテナ２０１に発生した交流電磁界（誘導起電力）に重畳された振動パターン等のデジタルデータを重畳方式に適した復調方式で復元する。
【０１４２】
ここで、蓄電制御部２１１と、振動制御部４１３と、タイマ２１４と、計時部２１５と、充電状態監視部４１６と、充電判定部４１７と、準備部４１８の構成および機能は、第３の実施形態と同様であるため説明を省略する。
【０１４３】
パターン書込部８１２は、充電装置７００から受信して復元した振動パターンを、パターン記憶部２５０に上書きして書き込む。この書き込みによって、パターン記憶部２５０に上書きされた振動パターンが現在設定されている振動パターンとなる。また、パターン書込部８１２は、充電装置７００から受信して復元したパターン画像を、振動パターンと対応付けて画像記憶部８５０に書き込む。
【０１４４】
表示制御部８１９は、充電装置７００から既存の振動パターンを受信した場合、画像記憶部８５０を参照して、受信した振動パターンに対応するパターン画像をパターン表示部８０７に表示する。また、表示制御部８１９は、充電装置７００で生成された振動パターンを受信した場合、画像記憶部８５０を参照して、生成された振動パターンに対応するパターン画像をパターン表示部８０７に表示する。
【０１４５】
次に、このように構成された第４の実施形態にかかる充電システムによる振動パターン生成処理について、図２０、２１、２２を参照して説明する。図２０は、第４の実施形態における充電装置側のパターン画像生成処理の流れを示すフローチャートである。図２１および図２２は、第４の実施形態における電子時計側のパターン画像生成処理の流れを示すフローチャートである。
【０１４６】
まず、図２０により充電装置７００側の処理を説明する。制御部７１０による切替スイッチ５０４の押下の判断から、パターン生成部５１３による振動パターンの生成までの処理（ステップＳ６０〜６６）は、第３の実施形態の処理と同様であるため説明を省略する（図１３：ステップＳ５０〜５６）。
【０１４７】
パターン画像生成部７１４は、パターン生成部５１３によって生成された振動パターンに基づいて、生成された振動パターンに対応するパターン画像を生成する（ステップＳ６７）。次に、パターン生成部５１３は、生成した振動パターンをパターン記憶部１５０に書き込む（ステップＳ６８）。また、パターン画像生成部７１４は、生成したパターン画像を画像記憶部７５０に書き込む（ステップＳ６９）。
【０１４８】
そして、制御部７１０が、生成した振動パターンと生成したパターン画像とを変調回路１０３に出力し、変調回路１０３が、振動パターンとパターン画像とを１次アンテナ１０１が発生する交流電磁界に重畳させることで、振動パターンとパターン画像を電子時計８００に送信する（ステップＳ７０）。
【０１４９】
次に、図２１により、既存の振動パターンを電子時計８００に送信した場合（図２０：ステップＳ６４）の、電子時計８００側の処理を説明する。受信回路２０２が、２次アンテナ２０１に発生した交流の誘導起電力を電気信号に変換して制御部８１０に出力し、制御部８１０が、当該電気信号に重畳された振動パターンを重畳方式に適した復調方式で復元することで、充電装置７００から振動パターンを受信する（ステップＳ８０）。
【０１５０】
次に、パターン書込部８１２は、パターン記憶部２５０に、受信した振動パターンを上書きして書き込む（ステップＳ８１）。表示制御部８１９は、画像記憶部８５０を参照して、受信した振動パターンに対応するパターン画像をパターン表示部８０７に表示する（ステップＳ８２）。振動制御部４１３による振動時刻の判断から、振動制御部４１３による振動モータの駆動までの処理（ステップＳ８３、８４）は、第１の実施形態と同様であるため説明を省略する（図６：ステップＳ２２、２３）。
【０１５１】
また、図２２により、生成した振動パターンと生成したパターン画像を電子時計８００に送信した場合（図２０：ステップＳ７０）の、電子時計８００側の処理を説明する。受信回路２０２が、２次アンテナ２０１に発生した交流の誘導起電力を電気信号に変換して制御部８１０に出力し、制御部８１０が、当該電気信号に重畳された振動パターンとパターン画像とを重畳方式に適した復調方式で復元することで、充電装置７００から振動パターンとパターン画像とを受信する（ステップＳ９０）。
【０１５２】
次に、パターン書込部８１２は、パターン記憶部２５０に、受信した振動パターンを上書きして書き込み（ステップＳ９１）、画像記憶部８５０に、受信した振動パターンに対応付けて受信したパターン画像を書き込む（ステップＳ９２）。
【０１５３】
表示制御部８１９は、画像記憶部８５０を参照して、受信した振動パターン、すなわち充電装置７００で生成された振動パターンに対応するパターン画像をパターン表示部８０７に表示する（ステップＳ９３）。振動制御部４１３による振動時刻の判断から、振動制御部４１３による振動モータの駆動までの処理（ステップＳ９４、９５）は、第１の実施形態と同様であるため説明を省略する（図６：ステップＳ２２、２３）。
【０１５４】
このように、第４の実施形態では、充電装置７００において生成された振動パターンに対応するパターン画像を生成し、振動パターンとパターン画像とを電子時計８００に送信する。そして、電子時計８００では、受信したパターン画像を表示し、振動時刻には受信した振動パターンによって振動する。また、充電装置７００から既存の振動パターンを電子時計８００に送信した場合、電子時計８００では、受信した振動パターンに対応するパターン画像を画像記憶部８５０から取得して表示する。つまり、電子時計８００は、現在設定されている振動パターンに対応するパターン画像を表示する。従って、利用者は現在設定している電子時計の振動パターンを容易に把握できるとともに、次回このパターン画像を参考にして、その利用者が感知しやすい振動パターンを生成することができる。さらに、充電中であるパターン画像を把握できるため、電子時計が充電されていることに容易に気付くことができ、充電を行っていたつもりが実は行われていなかった等の充電に関する誤認を防ぐことができる。
【０１５５】
第４の実施形態では、電子時計にパターン表示部を設けて、パターン画像を表示していたが、充電装置にパターン画像を表示してもよい。すなわち、充電装置の任意の場所にパターン表示部を設けて、パターン読込部により読み込んだ振動パターンを電子時計に送信した場合は、その振動パターンに対応するパターン画像を記憶部から取得して表示すればよい。また、パターン生成部により生成した振動パターンを電子時計に送信した場合は、パターン画像生成部により生成された、生成した振動パターンに対応するパターン画像を表示すればよい。
【０１５６】
なお、以上説明した実施形態では、本発明の携帯機器として電子時計を例にあげて説明したが、これに限定されるものではなく、携帯機器としてアナログ時計、携帯音楽プレーヤ、携帯電話やＰＤＡ（Personal  Digital  Assistance）等の携帯端末など、非接触方式により充電可能でかつ振動機能を有するものであればいずれにも適用することが可能である。また、充電装置は、本実施形態のような形体に限定されることなく、電子時計を載置して充電が可能なものであればよく、例えば、シート状、板状などの形体の充電装置を使用してもよい。
【図面の簡単な説明】
【０１５７】
【図１】第１の実施形態にかかる充電システムの全体を示す斜視図である。
【図２】第１の実施形態にかかる充電システムの全体を示す上面図である。
【図３】第１の実施形態にかかる充電システムの構成を示すブロック図である。
【図４】パターン記憶部に記憶された振動パターンと振動パターンのアドレスとを示す説明図である。
【図５】第１の実施形態における充電装置側の振動パターン切替処理の流れを示すフローチャートである。
【図６】第１の実施形態における電子時計側の振動パターン切替処理の流れを示すフローチャートである。
【図７】第２の実施形態にかかる充電システムの構成を示すブロック図である。
【図８】ＲＡＭに記憶された充電電力の電圧値の説明図である。
【図９−１】第２の実施形態における電子時計側の振動抑制処理の流れを示すフローチャートである。
【図９−２】第２の実施形態における充電装置側の振動抑制処理の流れを示すフローチャートである。
【図１０−１】第２の実施形態の変形例における電子時計側の振動抑制処理の流れを示すフローチャートである。
【図１０−２】第２の実施形態の変形例における充電装置側の振動抑制処理の流れを示すフローチャートである。
【図１１】第３の実施形態にかかる充電システムの全体を示す斜視図である。
【図１２】第３の実施形態にかかる充電システムの構成を示すブロック図である。
【図１３】第３の実施形態における充電装置側の振動パターン生成処理の流れを示すフローチャートである。
【図１４】切替スイッチを備えた電子時計の外観を示す図である。
【図１５】第４の実施形態にかかる充電システムの構成を示すブロック図である。
【図１６】パターン画像の生成方法に関する説明図である。
【図１７】電子時計に設けられたパターン表示部の説明図である。
【図１８】パターン表示部に表示されたパターン画像の一例を示す図である。
【図１９】パターン表示部に表示されたパターン画像の他の一例を示す図である。
【図２０】第４の実施形態における充電装置側のパターン画像生成処理の流れを示すフローチャートである。
【図２１】第４の実施形態における電子時計側のパターン画像生成処理の流れを示すフローチャートである。
【図２２】第４の実施形態における電子時計側のパターン画像生成処理の流れを示すフローチャートである。
【符号の説明】
【０１５８】
１００、３００、５００、７００  充電装置
１０１  １次アンテナ
１０２  受信回路
１０３  変調回路
１０４、５０４  切替スイッチ
１１０、５１０、７１０  制御部
１１１  パターン読込部
１１２  発振部
５１３  パターン生成部
７１４  パターン画像生成部
１５０  パターン記憶部
３０５  振動制御回路
５０６  回転数ダイヤル
５０７  間隔ダイヤル
２００、４００、８００  電子時計
２０１  ２次アンテナ
２０２  受信回路
２０３  変調回路
２０４、８０４  表示部
２０５  振動モータ
８０７  パターン表示部
２１０、４１０、８１０  制御部
２１１  蓄電制御部
２１２、８１２  パターン書込部
２１３、４１３  振動制御部
２１４  タイマ
２１５  計時部
４１６  充電状態監視部
４１７  充電判定部
４１８  準備部
８１９  表示制御部
２３０  蓄電回路
２３１  蓄電素子
２３２  スイッチ回路
２３３  充電状態検出回路
２５０  パターン記憶部
８５０  画像記憶部
４９０  切替スイッチ
９００  電源
【図１】
2009072050.tif 000003
【図２】
2009072050.tif 000004
【図３】
2009072050.tif 000005
【図４】
2009072050.tif 000006
【図５】
2009072050.tif 000007
【図６】
2009072050.tif 000008
【図７】
2009072050.tif 000009
【図８】
2009072050.tif 000010
【図９−１】
2009072050.tif 000011
【図９−２】
2009072050.tif 000012
【図１０−１】
2009072050.tif 000013
【図１０−２】
2009072050.tif 000014
【図１１】
2009072050.tif 000015
【図１２】
2009072050.tif 000016
【図１３】
2009072050.tif 000017
【図１４】
2009072050.tif 000018
【図１５】
2009072050.tif 000019
【図１６】
2009072050.tif 000020
【図１７】
2009072050.tif 000021
【図１８】
2009072050.tif 000022
【図１９】
2009072050.tif 000023
【図２０】
2009072050.tif 000024
【図２１】
2009072050.tif 000025
【図２２】
2009072050.tif 000026